(57)【要約】      （修正有）【課題】  摺動底蓋付き注出容器において、その遮光性を損なうことなく容器本体内の内容物の残量が一定量以下となったことを確実に確認できるようにし、もって、光による品質の劣化あるいは低下を確実に防ぐ。【解決手段】  胴部２内に摺動底蓋６を軸心方向に沿って密摺動可能に嵌装した容器本体１と、容器本体の上端開口部に組付き固定され、注出口４ａを形成するノズルヘッド４を有するポンプ３と、下端部を容器本体の上端部に外嵌してノズルヘッドを覆うキャップ５を有する摺動底蓋付き注出容器において、容器本体を透明性、あるいは半透明性のものとし、キャップの下端部が外嵌する容器本体の上端部分を除いた容器本体の略全高さ領域に遮光性を付与し、内容物の所定量の消費に伴なって上昇した摺動底蓋を上端部分から視覚可能に構成し、さらに、キャップの下端部に遮光性を付与し、このキャップを装着した状態で、上端部分を遮光する構成とする。【選択図】図１
2008110790.tif 000002
【特許請求の範囲】
【請求項１】
胴部(2)内に摺動底蓋(6)を軸心方向に沿って密摺動可能に嵌装した容器本体(1)と、該容器本体(1)の上端開口部に組付き固定され、注出口を形成するノズルヘッド(4)を有するポンプ(3)と、下端部を前記容器本体(1)の上端部に外嵌して前記ノズルヘッド(4) を覆うキャップ(5)を有し、前記容器本体(1)を透明性、あるいは半透明性のものとし、前記キャップ(5)の下端部が外嵌する容器本体(1)の上端部分(1t)を除いた前記容器本体(1)の略全高さ領域に遮光性を付与し、内容物の所定量の消費に伴なって上昇した前記摺動底蓋(6)を前記上端部分(1t)から視覚可能に構成し、さらに、前記キャップ(5)の下端部に遮光性を付与し、該キャップ(5)を装着した状態で、前記上端部分(1t)を遮光する構成とした摺動底蓋付き注出容器。
【請求項２】
遮光性フィルム(13)を外装して、容器本体(1)および／またはキャップ(5)に遮光性を付与する構成とした請求項１記載の摺動底蓋付き注出容器。
【請求項３】
摺動底蓋(6)を有色に着色した請求項１または２記載の注出容器。
【発明の詳細な説明】
【技術分野】
【０００１】
本発明は、内容物を収納した容器本体内に外気を吸い込むことなく、内容物を注出することのできる、摺動底蓋付き注出容器に関するものである。
【背景技術】
【０００２】
嫌気性の化粧液とか歯磨き液等の内容物を収納して、ポンプに組付けられたノズルヘッドに対する押圧操作により、内容物を注出し、この注出した内容物の体積分だけ、容器本体内の内容物収納容積を減少させて、外気を吸い込むことなく、内容物の注出に伴う減圧の発生を防止して、良好な内容物注出動作を維持する注出容器がある。
【０００３】
この注出容器の代表的な従来技術は、たとえば特許文献１に記載があるように、内容物の注出口を形成するノズルヘッドを有するポンプを上端に組付けた容器本体内に、軸心方向に沿って密摺動可能に摺動底蓋を嵌装組付けした構成となっており、摺動底蓋の上位の容器本体内に内容物を収納するものとなっている。
【０００４】
そして、上記従来技術の注出容器は、容器の外観形状を一定に保持したまま、外気を吸い込むことなく、内容物の注出を達成することができるので、内容物の品質を劣化させることなく長期間使用できる、と云う利点がある。
【特許文献１】特開２００３−２１２２６２号公報
【発明の開示】
【発明が解決しようとする課題】
【０００５】
しかしながら、上記した従来技術にあっては、内容物を光から保護する等の目的から、容器本体の胴部を遮光性のフィルムにより外装したり、容器本体を黒色に着色した樹脂で成形する等の手段で遮光性を付与して容器本体を構成した場合、内容物の収納量の変化に関わりなく、容器本体の外観形状が一定不変であるので、内容物の残量を確認する手段が全くなく、このため使用の途中で内容物が無くなって、大いに不便する、と云う問題があった。
【０００６】
本発明は、上記した従来技術における問題点を解消すべく創案されたものであり、摺動底蓋付き注出容器において、その遮光性を損なうことなく容器本体内の内容物の残量が一定量以下となったことを、確実に確認できるようにすることを技術的課題とし、もって、光による品質の劣化あるいは低下を確実に防ぐと共に、使用の途中で内容物が無くなることによる不便の発生を、未然に防止することを目的とする。
【課題を解決するための手段】
【０００７】
上記技術的課題を解決する本発明の内、請求項１記載の発明の手段は、
胴部内に摺動底蓋を軸心方向に沿って密摺動可能に嵌装した容器本体と、容器本体の上端開口部に組付き固定され、注出口を形成するノズルヘッドを有するポンプと、下端部を容器本体の上端部に外嵌してノズルヘッド
を覆うキャップを有する摺動底蓋付き注出容器において、
容器本体を透明性、あるいは半透明性のものとし、キャップの下端部が外嵌する容器本体の上端部分を除いた容器本体の略全高さ領域に遮光性を付与すること、
内容物の所定量の消費に伴なって上昇した摺動底蓋を上端部分から視覚可能に構成すること、
さらに、キャップの下端部に遮光性を付与し、このキャップを装着した状態で、上端部分を遮光する構成とすること、
にある。
【０００８】
請求項１記載の上記構成により、ノズルヘッドを押圧操作して、略一定量の内容物を注出すると共に、ポンプ内に容器本体内から略一定量の内容物を吸い上げると、容器本体内に減圧が発生し、この発生した減圧に従って、摺動底蓋が容器本体内を上昇変位して、容器本体内の内容物収納空間の容積を、ポンプに吸い上げられた内容物の体積に相当する分だけ減少させ、これにより容器本体内の内容物収納空間に発生した減圧を消滅させる。
【０００９】
ここで、容器本体自体を透明性、あるいは半透明性の材料製としておくことにより、遮光性の付与されていない上端部分から容器本体の内部を視覚することができ（以下、透視機能と記す場合がある。）、内容物を所定量使用した段階で、この上端部分近傍まで上昇してきた摺動底蓋を、視覚、認識して内容物の残存量が少ないことを確実に知ることが可能となる。
【００１０】
そして、製品の使用開始前はキャップを装着しておくことで、上記上端部分は、遮光性が付与されているキャップの下端部が外嵌、外装するので、容器本体の全体が遮光され、光による内容物の品質の劣化、あるいは低下を確実に防ぐことができ、また、使用時にキャップを取り外せば上記のように上端部分からの透視機能が発揮され、その後またキャップを装着して遮光状態で保管することもできる。
【００１１】
また、容器本体の上端部分だけを透明あるいは半透明の状態として、必要に応じてキャップの下端部を利用してこの上端部分を遮光する構成であるので、透視機能と遮光機能を両立するために、容器本体に特別に透視窓を形成したり、容器本体やキャップに特別な形状を付加する必要がなく、単に容器本体やキャップの所定の高さ範囲において全周に亘って遮光性を付与すればよく、キャップを利用して容器本体において透視機能と遮光機能を容易に両立させることができる。
【００１２】
請求項２記載の発明の手段は、請求項１記載の発明において、遮光性フィルムを外装して、容器本体および／またはキャップに遮光性を付与すること、にある。
【００１３】
請求項２記載の上記構成は容器本体や、キャップに遮光性を付与するための具体的な手段に係るものであり、特に遮光性フィルムを筒状にして金型内にセットした状態で容器本体あるいはキャップを成形する、所謂インサート成形法によれば、容易に容器本体あるいはキャップの側周壁の形状に沿って密着状に外装することができ、遮光性、外観性の点から好ましい方法である。
【００１４】
もちろん、遮光性を付与する方法は、上記の遮光性フィルムの外装に限定されるものではなく、転写フィルムを用いる方法、ホットスタンプ法により遮光性層を積層する方法、遮光性塗料で塗装する方法等がある。
またキャップへの遮光性付与についてはさらに、キャップ全体を遮光効果のある顔料、フィラーを分散した合成樹脂で成形する方法、さらには、アルミ製等の金属製のキャップを使用する方法もある。
【００１５】
請求項３記載の発明の手段は、請求項１または２記載の発明において、摺動底蓋を有色に着色すること、にある。
【００１６】
上記請求項３記載の構成により、摺動底蓋は上端部分を透して視覚されるが、摺動底蓋をたとえば赤色等の目立つ色に着色したものとすることにより、より明確に、確実に認識することができる。
【発明の効果】
【００１７】
本発明は、上記した構成となっているので、以下に示す効果を奏する。
請求項１記載の発明にあっては、容器本体の上端部分を透して、内容物の消費に伴って上昇変位してきた摺動底部を視覚、認識することができ、それにより内容物の残存量が少ないことを確実に知ることができる。
【００１８】
また、製品の使用開始前はキャップを装着しておくことで、遮光性が付与されたキャップの下端部で上端部分が遮光され、容器本体全体からの光線の進入を防ぐことができ、光による内容物の品質の劣化、あるいは低下を確実に防ぐことができる。
【００１９】
そして、容器本体に特別に透視窓を形成したり、容器本体やキャップに特別な形状を付加する必要がなく、単に容器本体やキャップの所定の高さ範囲において全周に亘って遮光性を付与すればよく、キャップを利用して容器本体において透視機能と遮光機能を容易に両立させることができる。
【００２０】
請求項２記載の発明にあっては、遮光性フィルムはインサート成形法により容易に容器本体あるいはキャップの側周壁の形状に沿って密着状に外装することができ、優れた遮光性と外観性が発揮される。
【００２１】
請求項３記載の発明にあっては、摺動底蓋を赤色等の目立つ色に着色しておけば、はっきり摺動底蓋を認識することができ、内容物の残量が少ないことを使用者に警告する機能が確実に発揮される。
【発明を実施するための最良の形態】
【００２２】
以下、本発明の実施例に沿って、図面を参照しながら説明する。
図１と図２は本発明の摺動底蓋付き注出容器の一実施例を示すものであり、内容物の注出口４ａを形成するノズルヘッド４を上端に組付けたポンプ３と、このポンプ３を上端開口部に組付けた容器本体１と、この容器本体１の胴部２内に、軸心方向に沿って密摺動可能に嵌装する摺動底蓋６と、胴部２の下端開口部に嵌着する底カバー１０と、ノズルヘッド４を覆うキャップ５から構成される。
【００２３】
容器本体１は全体として円筒状であり、スチレン−アクリロニトリル共重合体（ＳＡＮ）等の透明性の、あるいはポリプロピレン等の半透明性の合成樹脂材料で射出成形されている。そして上端部には、キャップ５の下端面が当接する周段部１ｓが周設されており、ここでこの周段部１ｓの上方を上端部分１ｔ、下方を胴部２とするが、上端部分１ｔには、キャップ５がアンダーカット状に組み付き固定する周突条１ｐが付設されている。
【００２４】
また、胴部２は全高さ範囲を基材フィルム１３Ｂに遮光性に優れた金属系材料からなる蒸着層１３Ｖを積層し、さらに保護層の機能を発揮するクリア層１３Ｃを積層した遮光性フィルム１３で外装されている。
【００２５】
なお、遮光性フィルム１３での外装方法については特に限定されるものではないが、遮光性フィルム１３を円筒状にして金型内にセットした状態で容器本体１を射出成形する、所謂インサート成形法によれば、胴部２の形状に沿って密着状に外装することができ、遮光性、耐久性、外観性の点から好ましい方法である。
さらにこのインサート成形方法によれば、転写フィルムを使用して、基材フィルムを除く接着層／蒸着層／保護層等で構成される遮光機能層だけで外装することもでき、一層高品位な外観性を発揮させることができる。
【００２６】
摺動底蓋６は、低密度ポリエチレン等の比較的軟質な合成樹脂製で、円板状の底板９の外周縁から、外鍔状の連結部を介して、外周面の上下両端部を、胴部２内周面に密摺接させるシール筒片７を連設した構成となっている。
またシール筒片７の内側には内筒片８が垂下設されており、その下端が胴部２の下端開口部に嵌入状に組付き固定する底カバー１０に当接して、摺動底蓋６の下限位置が決められる。また、底カバー１０の中央には通気孔１１が形成されており、摺動底蓋６の上昇に従って外気が進入できるようにしている。（図１参照）
【００２７】
キャップ５は有頂円筒状であり、ポリスチレン系樹脂、ポリプロピレン系樹脂等の射出成形品で、その下端部に全周に亘ってホットスタンプ法で遮光性層１４が被覆状に外装している。
【００２８】
次に、上記説明した容器についてその使用態様を説明する。
図１に示した状態は、製品が販売される状態、あるいは購入後の使用開始前の状態を示すもので、キャップ５が装着された状態であり、この状態ではキャップ５の下端部が、容器本体１の上端部分１ｔに外嵌し、このキャップ５の下端部を外装する遮光性層１４により、透明性の上端部分１ｔの遮光性が保持され光線の進入を防ぐことができるので、製品の使用開始前における光による内容物の品質の劣化、あるいは低下を確実に防ぐことができる。
【００２９】
そして、使用時にはキャップ５を取り外すので上端部分１ｔを透して容器本体１の内部を視覚することができ、図２示されるように内容物の残量が残り少なくなった段階で、容器本体１の上端部まで上昇してきた摺動底蓋６を認識することができる。
ここで摺動底蓋６を赤色等の目立つ色に着色しておけば、はっきり摺動底蓋６を視覚、認識することができ、内容物の残量が少ないことを使用者に警告する機能が確実に発揮され、使用の途中で急に内容物が無くなって、大いに不便すると云う問題も解消することができる。
【００３０】
以上、実施例に沿って本願発明の実施形態とその作用効果について説明したが、本願発明はこの実施例に限定されるものではない。
たとえば、胴部、あるいはキャップ下端部への遮光性を付与する方法は、遮光性フィルムやホットスタンプで外装する他にも、たとえば遮光性を有する塗料で塗装する等の手段や、キャップでは全体を遮光効果のある顔料、フィラーを分散した合成樹脂で成形する方法等を使用することもできる。
【産業上の利用可能性】
【００３１】
以上説明したように、本発明の摺動底蓋付き注出容器は簡単な構造で、遮光性と内容物の残量を確認する機能を両立したもので、使用の途中で内容物が急に無くなることによる不便が解消したものであり、空気や光による品質の劣化や低下がある化粧料等の用途での幅広い展開が期待される。
【図面の簡単な説明】
【００３２】
【図１】本発明の摺動底蓋付き注出容器の一実施例を示す、部分破断側面図である。
【図２】図１で内容物の消費が進んだ状態をキャップを取り外して示す部分破断側面図ある。
【符号の説明】
【００３３】
１  ；容器本体
１ｔ；上端部分
１ｓ；周段部
１ｐ；周突条
２  ；胴部
３  ；ポンプ
４  ；ノズルヘッド
４ａ；注出口
５  ；キャップ
６  ；摺動底蓋
７  ；シール筒片
８  ；内筒片
９  ；底板
１０；底カバー
１１；通気孔
１３；遮光性フィルム
１３Ｂ；基材フィルム
１３Ｖ；蒸着層
１３Ｃ；クリア層
１４；遮光性層
【図１】
2008110790.tif 000003
【図２】
2008110790.tif 000004